(57)【要約】【課題】一輪であっても独創的で高い意匠性を有する造花、及びその作製方法を提供する。【解決手段】茎部３の上端に花部２が設けられた造花１であって、前記花部は、周方向に複数の花弁５ａが形成され、中央の位置を合わせて重ねられた複数の花シート１０と、上部開口を有する壺状の花托部４とを備え、前記複数の花シートは、その中央部が前記花托部の上部開口から押し込まれた状態で前記花托部に保持され、前記複数の花シートの複数の花弁からなる花冠５は、ハート型に裁断加工がなされている。【選択図】図１
2011063920.tif 000002
【特許請求の範囲】
【請求項１】
茎部の上端に花部が設けられた造花であって、
前記花部は、
周方向に複数の花弁が形成され、中央の位置を合わせて重ねられた複数の花シートと、上部開口を有する壺状の花托部とを備え、
前記複数の花シートは、その中央部が前記花托部の上部開口から押し込まれた状態で前記花托部に保持され、前記複数の花シートの複数の花弁からなる花冠は、ハート型に裁断加工がなされていることを特徴とする造花。
【請求項２】
前記花部は、更に、少なくとも一枚の前記花シートを四つ折りとした第一花弁部材と、少なくとも一枚の前記花シートを二つ折りとした第二花弁部材とを備え、
前記第一花弁部材が、前記重ねられた所定の花シートの間に差し込まれると共に、前記ハート型の下側部分に配置され、
一対の前記第二花弁部材が、その折り目側が相対向するようにして、前記重ねられた所定の花シートの間に差し込まれると共に、それぞれ前記ハート型の左右両側部分に対応するように配置されていることを特徴とする請求項１に記載された造花。
【請求項３】
茎部の上端に花部が設けられた造花の作製方法であって、
周方向に複数の花弁が形成された花シートを、中央の位置を合わせて複数枚重ねる工程と、
前記複数の花シートの中央部を壺状の花托部の上部開口から押し込み、前記複数の花シートを前記花托部により保持させる工程と、
前記複数の花シートの複数の花弁からなる花冠を、ハート型のフレームに嵌め込み、ハート型に裁断加工する工程とを含むことを特徴とする造花の作製方法。
【請求項４】
前記複数の花シートの中央部を壺状の花托部の上部開口から押し込み、前記複数の花シートを前記花托部により保持させる工程の後、
少なくとも一枚の前記花シートを四つ折りとした第一花弁部材を、前記重ねられた所定の花シートの間に差し込むと共に、ハート型の下側部分とする位置に配置する工程と、
少なくとも一枚の前記花シートをそれぞれ二つ折りとした一対の第二花弁部材を、その折り目側が相対向するようにして、前記重ねられた所定の花シートの間に差し込むと共に、それぞれハート型の左右両側部分とする位置に配置する工程とを含むことを特徴とする請求項３に記載された造花の作製方法。
【発明の詳細な説明】
【技術分野】
【０００１】
本発明は、独創的な意匠を有する造花及びその作製方法に関する。
【背景技術】
【０００２】
生花とは異なり枯れることが無い造花は、部屋のインテリア装飾として、或いは身につけるコサージュ等の装飾品として多く利用されている。
例えば、特許文献１には、複数の造花を細長状に連結し、バスケット容器等に取り付ける装飾用の造花連結体が開示されている。
【先行技術文献】
【特許文献】
【０００３】
【特許文献１】特開平１０−４６４１６号公報
【発明の概要】
【発明が解決しようとする課題】
【０００４】
ところで、前記のように造花を装飾品として利用する場合、従来は特許文献１のように複数の花を組み合わせることにより独創的な意匠表現がなされていた。
即ち、花の種類によって花冠の形状は略決まっているため、一輪の造花自体で独創的な意匠表現を行うことは困難という課題があった。
【０００５】
本発明は、前記した点に着目してなされたものであり、一輪であっても独創的で高い意匠性を有する造花、及びその作製方法を提供することを目的とする。
【課題を解決するための手段】
【０００６】
前記した課題を解決するために、本発明に係る造花は、茎部の上端に花部が設けられた造花であって、前記花部は、周方向に複数の花弁が形成され、中央の位置を合わせて重ねられた複数の花シートと、上部開口を有する壺状の花托部とを備え、前記複数の花シートは、その中央部が前記花托部の上部開口から押し込まれた状態で前記花托部に保持され、前記複数の花シートの複数の花弁からなる花冠は、ハート型に裁断加工がなされていることに特徴を有する。
このように構成することにより、一輪の花であっても独創的で高い意匠性を有する造花を提供することができる。
【０００７】
また、前記花部は、更に、少なくとも一枚の前記花シートを四つ折りとした第一花弁部材と、少なくとも一枚の前記花シートを二つ折りとした第二花弁部材とを備え、前記第一花弁部材が、前記重ねられた所定の花シートの間に差し込まれると共に、前記ハート型の下側部分に配置され、一対の前記第二花弁部材が、その折り目側が相対向するようにして、前記重ねられた所定の花シートの間に差し込まれると共に、それぞれ前記ハート型の左右両側部分に対応するように配置されていることが望ましい。
このように構成することにより、ボリューム感を与えることができ、立体感のあるハート型の花冠を得ることができる。
【０００８】
また、前記した課題を解決するために、本発明に係る造花の作製方法は、茎部の上端に花部が設けられた造花の作製方法であって、周方向に複数の花弁が形成された花シートを、中央の位置を合わせて複数枚重ねる工程と、前記複数の花シートの中央部を壺状の花托部の上部開口から押し込み、前記複数の花シートを前記花托部により保持させる工程と、前記複数の花シートの複数の花弁からなる花冠を、ハート型のフレームに嵌め込み、ハート型に裁断加工する工程とを含むことに特徴を有する。
このような方法によれば、一輪の花であっても独創的で高い意匠性を有する造花を容易に得ることができる。
【０００９】
また、前記複数の花シートの中央部を壺状の花托部の上部開口から押し込み、前記複数の花シートを前記花托部により保持させる工程の後、少なくとも一枚の前記花シートを四つ折りとした第一花弁部材を、前記重ねられた所定の花シートの間に差し込むと共に、ハート型の下側部分とする位置に配置する工程と、少なくとも一枚の前記花シートをそれぞれ二つ折りとした一対の第二花弁部材を、その折り目側が相対向するようにして、前記重ねられた所定の花シートの間に差し込むと共に、それぞれハート型の左右両側部分とする位置に配置する工程とを含むことが望ましい。
このようにすることにより、ボリューム感を与えることができ、立体感のあるハート型の花冠を得ることができる。
【発明の効果】
【００１０】
本発明によれば、一輪であっても独創的で高い意匠性を有する造花、及びその作製方法を得ることができる。
【図面の簡単な説明】
【００１１】
【図１】図１は、本発明に係る造花の全体を示す正面図である。
【図２】図２は、本発明に係る造花の全体を示す側面図である。
【図３】図３は、図１の造花が備える花シートの平面図である。
【図４】図４（ａ）、（ｂ）は、それぞれ図１の造花が備えるピン部材、及び花托部の正面図である。
【図５】図５は、本発明に係る造花の作製方法の流れを示すフロー図である。
【図６】図６は、本発明に係る造花の作製方法を説明するための図であって、花托部によって複数の花シートを保持する構造を示す斜視図である。
【図７】図７は、本発明に係る造花の作成方法を説明するための図であって、花托部によって複数の花シートを保持した状態を示す正面図である。
【図８】図８は、本発明に係る造花の作製方法を説明するための図であって、花冠にボリューム感を持たせるための構造を示す花冠の正面図である。
【図９】図９は、本発明に係る造花の作製方法を説明するための図であって、ハート型に裁断する前に花冠にボリューム感を持たせた状態の花冠の正面図である。
【図１０】図１０は、本発明に係る造花の作製方法を説明するための図であって、花冠を嵌め込むためのフレームの正面図である。
【発明を実施するための形態】
【００１２】
以下、本発明の実施の形態を図面に基づき説明する。図１は本発明に係る造花の全体を示す正面図、図２はその側面図である。尚、本実施形態にあっては、作製する造花の種類をカーネーションとする。
図１に示す造花１は、花冠５がハート型に形成された花部２と、その花部２が上端に設けられた茎部３とを具備する。花部２は、図２に示すように花托部４と、この花托部４に保持された花冠５とからなる。花冠５は複数の花弁５ａの集合体により構成される。また、茎部３は、枝茎７と、この枝茎７に設けられた複数の線形（または楕円形）の葉８とからなる。
【００１３】
続いて、本発明に係る造花１の作製方法について図３乃至図１０に基づき説明する。
先ず、花部２を作製するには、図３に示す花シート１０を複数枚（本実施形態では７枚）用意する。この花シート１０は、例えば絹布を型抜きで裁断することにより容易に得ることができる（図５のステップＳ１）。
【００１４】
花シート１０の裁断形状（抜き型）は、花の種類によって異なる形状となり得るが、本実施形態では、図３に示すように全体が円形となされる。また、その縁部５ｂはノコギリ歯状に裁断され、径方向（中心部）に向かって複数（図では６つ）の切り込み５ｃが形成される。この切り込み５ｃにより、１枚の花シート１０には、周方向に６枚の花弁５ａが形成される。また、この裁断によって花シート１０の中心部には、小さい孔５ｄが形成されている。
【００１５】
次いで、図４（ａ）に示すピン部材１１と、図４（ｂ）に示す壺状の花托部４とを用意する。ピン部材１１は、図示するように棒状の軸部１１ａと、その上端に設けられた傘部１１ｂと、軸部１１ａの下端に設けられた連結部１１ｃとからなる。連結部１１ｃは、軸部１１ａよりも細い棒状に形成され、その先端には枝茎７と連結するための連結孔１１ｄが設けられている。また、花托部４は上部開口４ａを有し、その底部には前記ピン部材１１の連結部１１ｃを貫挿可能な孔４ｂを有している。
そして、図６に示すように、７枚の花シート１０を上下に重ね、１本のピン部材１１を全ての花シート１０の中心部の孔５ｄに纏めて貫挿する（図５のステップＳ２）。
【００１６】
ここで、花シート１０の孔５ｄの直径は、ピン部材１１の軸部１１ａの直径より大きく傘部１１ｂの直径より小さく形成されており、７枚の花シート１０の孔５ｄの周縁部は傘部１１ｂに係止する。また、このステップＳ２により、７枚の花シート１０は、その中央の位置を合わせて重ねられた状態となる。
尚、各花シート１０を重ねる際、孔５ｄの周縁部に接着剤が塗布され、上下に重なる花シート１０同士がその中心部分で接着される。
【００１７】
７枚重ねられた花シート１０は、その中央部、及びそこに貫挿されたピン部材１１が、図６に示すように花托部４の上部開口４ａから押し込まれ、図７に示すようにピン部材１１の先端の連結部１１ｃが花托部底部に形成された孔４ｂから下方に突出する状態となされる（図５のステップＳ３）。
これにより、花托部４に７枚の花シート１０が保持され、７枚の花シート１０に形成された複数の花弁５ａによって花冠５が形作られる。尚、花托部４内に複数の花シート１０を押し込む前に、予め花托部４内に接着剤を塗布しておくことにより、花托部４の保持力を向上させることができる。
【００１８】
続いて、図８に示すように１枚の花シート１０を四つ折りとした第一花弁部材１２を作製し、それを花托部４に保持された７枚の花シート１０の下から２枚目と３枚目との間に差し込み、接着剤で固定する。尚、この第一花弁部材１２が差し込まれた部分は、図８に二点鎖線（想像線）で示すようにハート型の下側部分となされる。
また、２枚の花シート１０を重ね、それを二つ折りとした第二花弁部材１３を２つ作製する。そして、一対の第二花弁部材１３を、その折り目側が相対向するようにして、前記重ねられた花シート１０の下から２枚目と３枚目との間に差し込み、それぞれハート型の左右両側部分に対応するように配置し、接着剤で固定する（図５のステップＳ４）。
【００１９】
この作業により、図９に示すようにボリューム感（立体感）のある花冠５が形成される。
更に、図１０に示すような針金で形成されたハート型のフレーム１５の中に、花托部４側から前記花冠５を嵌め込む。このとき、図８に二点鎖線（想像線）で示すハート型の位置にフレーム１５が配置される。
そして、花冠５においてフレーム１５をはみ出た部分を裁断（即ちフレーム１５に沿って裁断）することによって、図１、図２に示したハート型の花冠５を有する花部２を形成する（図５のステップＳ５）。
そして、茎部３を用意し、花部２下端の連結部１１ｃの孔１１ｄに枝茎７の上端を挿入して嵌めることにより造花１が完成する。
【００２０】
以上のように本実施の形態によれば、抜き型等により同様に裁断された複数枚の花シート１０を重ね、それらの中央部を花托部４に押し込むことにより複数枚の花シート１０が花托部４に保持され、花冠５が形成される。そして、その花冠５をフレーム１５に沿って裁断することにより、花冠５の形状を容易にハート型とすることができる。したがって、一輪の花であっても独創的で高い意匠性を容易に得ることができる。
【００２１】
また、ハート型に裁断する前に、ハート型の下側部分となる位置に、１枚の花シート１０を四つ折りにした第一花弁部材１２を差し込み、更に、ハート型の左右両側となる位置に、それぞれ２枚の花シート１０を二つ折りにした一対のシート部材１２を差し込むことにより、ボリューム感を与えることができ、立体感のあるハート型の花冠５を得ることができる。
【００２２】
尚、前記実施の形態においては、作製する造花をカーネーションとしたが、本発明にあっては、それに限定されるものではない。即ち、花シート１０の裁断形状によって、様々な花部２を作製することができる。
【符号の説明】
【００２３】
１          造花
２          花部
３          茎部
４          花托部
４ａ        上部開口
５          花冠
５ａ        花弁
７          枝茎
８          葉
１０        花シート
１１        ピン部材
１２        第一花弁部材
１３        第二花弁部材
１５        フレーム
【図１】
2011063920.tif 000003
【図２】
2011063920.tif 000004
【図３】
2011063920.tif 000005
【図４】
2011063920.tif 000006
【図５】
2011063920.tif 000007
【図６】
2011063920.tif 000008
【図７】
2011063920.tif 000009
【図８】
2011063920.tif 000010
【図９】
2011063920.tif 000011
【図１０】
2011063920.tif 000012